(57)【特許請求の範囲】
【請求項１】
屋根の軒先部分に沿って軒樋が設置されている屋根構造において、
前記屋根が、軒先部分に沿って複数枚並設された屋根板材で構成されており、
前記各屋根板材が、軒先部分に流水穴を個々に有しており、
前記軒樋が、上面に前記流水穴と対応する排水穴を有し、
前記軒樋は、前記排水穴が前記流水穴と合致した状態で軒樋支持部材によって下側から支持され、
前記軒樋は、前記屋根板材の裏面側に当接配置されていると共に、
前記流水穴と前記排水穴とが、間に水密材を介して接続され、
前記水密材の内側で前記屋根板材と前記軒樋が固定されていることを特徴とする屋根構造。
【請求項２】
請求項１に記載の屋根構造において、
前記軒樋が、角筒状をしていることを特徴とする屋根構造。
【請求項３】
請求項１または請求項２に記載の屋根構造において、
前記軒樋は、前記軒樋支持部材にスペーサを介して支持されていることを特徴とする屋根構造。
【請求項４】
請求項１ないし請求項３のいずれか１項に記載の屋根構造において、
前記屋根板材は、前記流水穴が形成されている屋根面部と、該屋根面部の両側縁部から上方へ立ち上がる側面部と、該側面部の上縁部から外方へ向けて横に延びる取付フランジ部とを有する逆ハット型をしていることを特徴とする屋根構造。
【請求項５】
請求項１ないし請求項４のいずれか１項に記載の屋根構造において、
前記流水穴は、水切部を有していることを特徴とする屋根構造。
【請求項６】
請求項１ないし請求項５のいずれか１項に記載の屋根構造において、
前記軒樋は、前記屋根板材の裏面側に当接配置されていると共に、
前記流水穴と前記排水穴とが、間に水密材を介して接続されていることを特徴とする屋根構造。
【請求項７】
請求項１ないし請求項６のいずれか１項に記載の屋根構造において、
前記屋根板材は、屋根フレームに取付けられている状態で、軒先部分に沿って隣接配置されていることを特徴とする屋根構造。
【請求項８】
請求項１ないし請求項７のいずれか１項に記載の屋根構造において、
隣接する前記屋根板材の縁部間が、繋ぎ部材によって覆われていることを特徴とする屋根構造。
【請求項９】
請求項１ないし請求項８のいずれか１項に記載の屋根構造を備えていることを特徴とする建物。
【請求項１０】
屋根の軒先部分に沿って軒樋が設置されている建物において、
前記屋根が、軒先部分に沿って複数枚並設された屋根板材で構成されており、
前記各屋根板材が、軒先部分に流水穴を個々に有しており、
前記軒樋が、上面に前記流水穴と対応する排水穴を有し、
前記軒樋は、前記排水穴が前記流水穴と合致した状態で軒樋支持部材によって下側から支持されていることを特徴とする建物。
【発明の詳細な説明】
【技術分野】
【０００１】
この発明は、屋根構造および建物に関するものである。
【背景技術】
【０００２】
建物の上部には屋根が取付けられており、屋根の軒先側の部分（軒先部分）には軒樋が取付けられている（例えば、特許文献１〜特許文献８参照）。
【先行技術文献】
【特許文献】
【０００３】
【特許文献１】特開２００７−２０４９７５号公報
【特許文献２】実開平１−１５９０３２号公報
【特許文献３】特開２００１−２７１４６６号公報
【特許文献４】特開２００２−１５５６０３号公報
【特許文献５】特開昭６０−３７３６０号公報
【特許文献６】特開平１０−１８５３０号公報
【特許文献７】特開２０１４−２１４４２１号公報
【特許文献８】実開昭６２−１２４１２９号公報
【発明の概要】
【発明が解決しようとする課題】
【０００４】
例えば、冬場などに屋根と軒樋との間へ融雪水が入り込むと（いわゆる「すが漏れ」）、屋内へ漏れたり、軒天井の裏面などで凍結してつららが発生したりするなどの事態が生じる。このような「すが漏れ」は、特許文献１のように、屋根パネルと軒樋との間が離れているほど起こり易い。
【０００５】
そのため、寒冷地などでは、屋根と軒樋との間をいわゆる完全防水仕様にして「すが漏れ」を防止させる必要がある。
【０００６】
しかし、特許文献２のように、屋根を構成する屋根板材が複数枚に分割されている場合には、屋根板材間の分割部分で軒樋との水密関係を確保することができなくなり、完全防水仕様にすることが困難となっていた。
【０００７】
その点、特許文献３〜特許文献８は、屋根板材が一体物であるため、このような屋根板材間の分割による問題を特に有してはいなかった。
【０００８】
そこで、本発明は、上記した問題点を解決することを、主な目的としている。
【課題を解決するための手段】
【０００９】
上記課題を解決するために、本発明は、
屋根の軒先部分に沿って軒樋が設置されている屋根構造において、
前記屋根が、軒先部分に沿って複数枚並設された屋根板材で構成されており、
前記各屋根板材が、軒先部分に流水穴を個々に有しており、
前記軒樋が、上面に前記流水穴と対応する排水穴を有し、
前記軒樋は、前記排水穴が前記流水穴と合致した状態で軒樋支持部材によって下側から支持され、
前記軒樋は、前記屋根板材の裏面側に当接配置されていると共に、
前記流水穴と前記排水穴とが、間に水密材を介して接続され、
前記水密材の内側で前記屋根板材と前記軒樋が固定されていることを特徴とする。
【発明の効果】
【００１０】
本発明によれば、上記構成によって、屋根板材が複数枚に分割されている場合でも、完全防水仕様にすることが可能となる。
【図面の簡単な説明】
【００１１】
【図１】本実施の形態の屋根構造を示す建物の軒先部分の側面図である。
【図２】図１のＡ−Ａに沿った断面図である。
【図３】屋根を構成する複数枚の屋根板材と、これら屋根板材の下側に設置される軒樋との関係を示す分解斜視図である。
【図４】繋ぎ部材の状況を示す図２の部分拡大図である。
【発明を実施するための形態】
【００１２】
以下、本実施の形態を、図面を用いて詳細に説明する。
図１〜図４は、この実施の形態を説明するためのものである。
【実施例１】
【００１３】
＜構成＞以下、構成について説明する。
【００１４】
図１に示すように、戸建住宅などの建物１は、建物本体２と、屋根３とを有している。この場合、上記した建物１は、ユニット建物とされている。但し、建物１は、ユニット建物に限るものではない。
【００１５】
上記したユニット建物は、要するに、工場で予め製造した複数の建物ユニットなどを建築現場へ搬送して現場で組み立てることによって、短期間のうちに建物１を構築できるようにしたものである。
【００１６】
ユニット建物の場合、建物本体２を構成する建物ユニット（例えば、鋼製ユニット）は、例えば、４本のユニット柱の上端部間を４本の天井梁５で矩形状に連結すると共に、４本のユニット柱の下端部間を４本の床梁で矩形状に連結したボックスラーメン構造のユニットフレームを有するものなどとされる。ユニットフレームの外面側には、外壁材６などが取付けられる。
【００１７】
また、屋根３は、ほぼ水平に近い緩い勾配の陸屋根とされている。屋根３の上には、太陽電池パネル１５が取付金具１６を用いて一体に取付けられるようになっている。
【００１８】
そして、建物本体２に対して屋根３を一部張り出すように取付けることによって軒先部分２１が形成される。屋根３は、軒先部分２１の先端（軒先側）へ向かって下り勾配となるように斜めに設置される。
【００１９】
更に、屋根３の軒先部分２１の先端には、パラペット２２が取付けられる。そして、建物１の屋根３に形成された軒先部分２１の裏面には軒天井パネル材２３が取付けられる。軒天井パネル材２３は、取付金具２５，２６などを用いて、パラペット２２の下部と、建物本体２の外壁材６の上端部との間を塞ぐように取付けられる。
【００２０】
そして、以上のような基本的または全体的な構成に対し、この実施例の屋根構造は、以下のような構成を備えている。
【００２１】
（１）上記した屋根構造は、屋根３の軒先部分２１に沿って軒樋３１を設置したものとされる。
そして、この屋根構造では、図２、図３に示すように、上記屋根３が、軒先部分２１に沿って複数枚並設された屋根板材１２で構成されている。
そして、上記各屋根板材１２が、軒先部分２１に流水穴４１を個々に有している。
また、上記軒樋３１が、上面に上記流水穴４１と合致する排水穴４２を有している。
【００２２】
ここで、流水穴４１は、軒樋３１の上面の幅寸法よりも短い幅を有して屋根板材１２の幅方向へ延びる横長矩形状のものとされる。排水穴４２は、各流水穴４１と一対一に対応するように設けられている。排水穴４２は、流水穴４１と同じ形状および同じ大きさのもの、または、それよりも一回り程度大きいものなどとされる。
【００２３】
（２）この場合、上記軒樋３１は、角筒状のものとされる。
【００２４】
ここで、角筒状の軒樋３１は、上面と底面と、両側面と、両端面とを有する水密な部材とされる。流水穴４１は、軒樋３１の平坦な上面に形成される。角筒状の軒樋３１は、その底面に排水勾配が形成されている。
【００２５】
（３）上記屋根板材１２は、上記流水穴４１が形成されている屋根面部１２ａと、この屋根面部１２ａの両側縁部から上方へ立ち上がる側面部１２ｂと、この側面部１２ｂの上縁部から外方へ向けて横に延びる取付フランジ部１２ｃとを有する逆ハット型をしている。また、屋根板材１２の軒先側には、端面部１２ｄが立ち上がり形成されている。
【００２６】
ここで、屋根板材１２は、溶融アルミニウムめっき鋼板や亜鉛めっき鋼板やステンレス鋼板やその他の耐候性素材などでできている。図１に示すように、屋根板材１２の下側には、野地板１３が設置されており、屋根板材１２と野地板１３とによって屋根葺材１４が構成されている。
【００２７】
（４）そして、上記流水穴４１は、水切部４５（図２参照）を有している。
【００２８】
ここで、水切部４５は、流水穴４１の縁部を下方に屈曲した屈曲片などとされている。この水切部４５は、少なくとも、流水穴４１の長手方向の両端部などに設けられている。
【００２９】
（５）上記軒樋３１は、上記屋根板材１２の裏面側に当接配置されている。
そして、上記流水穴４１と上記排水穴４２とが、間に水密材４３を介して接続されている。
【００３０】
ここで、水密材４３は、例えば、ブチルゴムなどでできたものなどとされる。水密材４３は両面に粘着層を有しており、流水穴４１と排水穴４２の周囲を取り囲むように水密材４３を貼り付けることによって、軒樋３１と屋根板材１２との間を固定（粘着層を介在させた固定）するようにしている。
【００３１】
なお、軒樋３１の下側には、軒樋３１を覆うように二次樋３２が配設されている。二次樋３２は、屋根３に対して樋支持部材５１を用いて取付けられている。この樋支持部材５１は、左右一対のボルト部材５２と、この一対のボルト部材５２の間に、二次樋３２の高さを調整可能に取り付けられた支持プレート６１とを備えている。そして、軒樋３１は、二次樋３２に対して、長手方向に高さの異なる複数のスペーサ３３（図１参照）を介して支持されている。
【００３２】
（６）上記屋根板材１２は、屋根フレーム１１に取付けられている状態で、軒先部分２１に沿って隣接配置されている。
【００３３】
ここで、建物１（この場合には、ユニット建物となっている）の屋根３は、屋根ユニット７によって構成されている。この屋根ユニット７は、例えば、図２に示すように、平行な一対の屋根フレーム１１の間に、屋根板材１２を架設して一体化したものとされる。屋根フレーム１１は、ウエブ部１１ａの上下に一対のフランジ部１１ｂ，１１ｃを有する内向きのＣ型断面の鋼材とされている。そして、上記した屋根ユニット７は、最上階に位置する建物ユニットの上部に対して複数並設される。
【００３４】
（７）図４に示すように、隣接する上記屋根板材１２の縁部間が、繋ぎ部材４７によって覆われている。
【００３５】
ここで、繋ぎ部材４７は、逆Ｕ字状をして屋根フレーム１１の長手方向へ延びる長尺のものなどとされている。繋ぎ部材４７は、屋根フレーム１１と同じ材質によって形成することができる。繋ぎ部材４７は、上記した水密材４３と同様の水密材４８によって隣接する屋根ユニット７の屋根フレーム１１間に被せられた状態で屋根フレーム１１の上側のフランジ部１１ｂに接着固定される。なお、隣接する屋根フレーム１１間は、取付金具４９を介してボルト５０などで固定されている。
【００３６】
＜作用効果＞この実施例によれば、以下のような作用効果を得ることができる。
【００３７】
屋根３の上に降った雨水は、各屋根板材１２から、各屋根板材１２の軒先部分２１に形成された流水穴４１および排水穴４２を介して軒樋３１へと導かれて排水される。
【００３８】
（作用効果１）この際、複数枚並設された屋根板材１２の軒先部分２１に流水穴４１を個々に形成し、角筒状をした軒樋３１の上面に排水穴４２を形成して、排水穴４２を流水穴４１と合致させるようにした。これにより、屋根板材１２が複数枚に分割されている場合でも、各屋根板材１２を軒樋３１に対応させると共に、屋根板材１２間の分割部分からは軒樋３１へ雨水などが流れないようにすることができるので、各屋根板材１２の上に降った雨水などを確実に流水穴４１および排水穴４２を通して軒樋３１へと導くことが可能となる。
【００３９】
（作用効果２）軒樋３１を角筒状とした。これにより、軒樋３１を屋根板材１２の裏面に対して密接配置させることができる。
【００４０】
（作用効果３）屋根板材１２を、流水穴４１が形成されている屋根面部１２ａと側面部１２ｂと取付フランジ部１２ｃとを有する逆ハット型のものとした。これにより、屋根板材１２を、水の案内に適した形状で、取り扱い易い大きさのものとすることができる。
【００４１】
（作用効果４）流水穴４１に水切部４５を設けた。これにより、屋根板材１２から流水穴４１へ入った雨水を水切部４５によって漏らすことなく確実に軒樋３１へと導くことができる。
【００４２】
（作用効果５）軒樋３１を、流水穴４１と排水穴４２とが水密材４３を介して接続された状態で、屋根板材１２の裏面側に当接配置させるようにした。これにより、各屋根板材１２と軒樋３１との間の水密性を、各流水穴４１と排水穴４２との間に介在された水密材４３によって確保することができるようになり、屋根板材１２が複数枚に分割されている場合でも、完全防水仕様を実現することができる。
【００４３】
その結果、例えば、冬場などに屋根板材１２と軒樋３１との間へ融雪水が入り込んで（いわゆる「すが漏れ」が生じて）、屋内へ漏れたり、軒天井の裏面などで凍結してつららが発生したりするなどの事態を防止することができる。
【００４４】
また、軒樋３１が、屋根板材１２の裏面側に当接配置されていることにより、屋根構造をコンパクト化して見栄えを良くすることができる。
【００４５】
（作用効果６）屋根板材１２を、屋根フレーム１１に取付けた状態で軒先部分２１に沿って隣接配置するものとした。これにより、例えば、屋根板材１２が一体的に取付けられた屋根フレーム１１を軒先部分２１に沿って順番に設置するだけで、屋根３に対する屋根板材１２の施工が可能となる。よって、屋根板材１２の施工を容易化することができる。
【００４６】
（作用効果７）隣接する屋根板材１２間を、繋ぎ部材４７によって覆うようにした。これにより、繋ぎ部材４７によって隣接する屋根板材１２間の水密性を確保することが可能となる。
【００４７】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４８】
１      建物
３      屋根
１１    屋根フレーム
１２    屋根板材
１２ａ  屋根面部
１２ｂ  側面部
１２ｃ  取付フランジ部
２１    軒先部分
３１    軒樋
４１    流水穴
４２    排水穴
４５    水切部
４３    水密材
４７    繋ぎ部材
【図１】
0006693717.tif 000002
【図２】
0006693717.tif 000003
【図３】
0006693717.tif 000004
【図４】
0006693717.tif 000005